(57)【特許請求の範囲】
【請求項１】
仰臥台の側部にボトムの長手方向に対応させて支持棒体を支持すると共に側柵本体に設けた嵌挿部に支持棒体を嵌挿し、支持棒体の一端側と他端側に夫々第１、第２のストッパー部材を設けて、側柵本体を第１、第２のストッパー部材間において支持棒体に沿って移動可能とすると共に起立状態から垂下状態の間で回動可能とし、側柵本体の一端部と第１のストッパー部材に、側柵本体が起立状態において相互に嵌合可能な凹凸部を形成すると共に、側柵本体を第１のストッパー部材方向にばねで付勢した構成とし、また側柵本体の他端部には、側柵本体が起立状態において上下方向に回動可能な係合部材を、前記第２のストッパー側に設け、この係合部材は、側柵本体が起立状態で、且つ前記凹凸部が嵌合している状態において、自重により回動下降して、その先端が、前記第２のストッパーに近接した前記支持棒体の上面に当接可能に構成されていることを特徴とする仰臥台における側柵の支持機構。
【請求項２】
仰臥台の側部にボトムの長手方向に対応させて支持棒体を支持すると共に側柵本体に設けた嵌挿部に支持棒体を嵌挿し、支持棒体の一端側と他端側に夫々第１、第２のストッパー部材を設けて、側柵本体を第１、第２のストッパー部材間において支持棒体に沿って移動可能とすると共に起立状態から垂下状態の間で回動可能とし、側柵本体の一端部と第１のストッパー部材に、側柵本体が起立状態において相互に嵌合可能な凹凸部を形成すると共に、側柵本体を第１のストッパー部材方向にばねで付勢した構成とし、また側柵本体の他端部には、ストッパーピンを前記第２のストッパー部材の外方に配置して、この第２のストッパー部材に対して進退可能に支持すると共に、前進方向にばねで付勢し、前記第２のストッパー部材には、側柵本体が起立状態で、且つ前記凹凸部が嵌合している状態においてストッパーピンが前進する位置に係合部を設けたことを特徴とする仰臥台における側柵の支持機構。
【請求項３】
凹凸部は、側柵本体が起立状態の場合に加えて水平状態においても嵌合可能に構成すると共に、係合部は、側柵本体が水平状態で、且つ前記凹凸部が嵌合している状態においてストッパーピンが前進する位置にも設けたことを特徴とする請求項２に記載の仰臥台における側柵の支持機構。
【発明の詳細な説明】
【技術分野】
【０００１】
本発明は、病院、その他の医療施設、介護施設等において使用する患者搬送用ストレッチャーや、診察台等の仰臥台における側柵の支持機構に関するものである。
【背景技術】
【０００２】
患者搬送用ストレッチャーや診察台等の仰臥台では、ボトム上の患者の落下を防止するために、側部に、ボトムの長手方向に対応させた側柵を設けている。この側柵は、患者の乗り降りに際して邪魔とならないように、例えば特許文献１、２に示されるように、側柵本体を起立状態と垂下状態の間で回動可能に支持した構成としている。即ち、このような側柵においては、患者の落下を防止する際には、側柵本体を回動上昇させて起立状態とし、この状態において種々の構成のストッパー機構により支持すると共に、患者の乗り降りの際には、ストッパー機構を解除し、側柵本体を回動下降させて垂下状態とする。また、上記特許文献１、２では、側柵本体を水平状態においても支持可能とすることにより、側柵本体を、点滴等の輸液や処置等の際に上肢を載せる上肢台としても利用できるようにしている。
【０００３】
また、側柵本体を起立状態で支持するためのストッパー機構の一例として、側柵本体をボトムの長手方向に移動可能に支持すると共に、その一端側にストッパー部材を設け、側柵本体の一端部に凸部、ストッパー部材に凹部を設けると共に、側柵本体をばねによりストッパー部材方向にばねで付勢した構成のものがある。
【０００４】
この構成では、起立状態とした側柵本体がばねの付勢によりストッパー部材方向に移動すると、側柵本体の一端部の凸部がストッパー部材の凹部に嵌合するので、側柵本体を起立状態で支持することができる。また、起立状態で支持されている側柵本体を、ストッパー部材から離す方向に移動すると、上記凸部と凹部の嵌合が解除されるため、側柵本体を回動下降させて垂下状態とすることができる。
【特許文献１】特開平４−３４１２６４号公報
【特許文献２】特開平１１−１９２２６３号公報
【発明の開示】
【発明が解決しようとする課題】
【０００５】
上述したストッパー機構では、凹凸の嵌合の維持をばねの付勢のみで行うので、患者等が側柵本体を動かそうとしたり、不意に掴まったりした際に、側柵本体が移動すると、嵌合が解除されてしまう場合があり、この場合には側柵本体が回動下降して危険である。
そこで本発明では、側柵本体の起立状態をばねの付勢により維持するようにした側柵の支持機構において、安全機構を合理的に組み合わせることにより、上述したような危険性をなくし、安全性を高めることを目的とするものである。
【課題を解決するための手段】
【０００６】
上述した課題を解決するために、本発明では、仰臥台の側部にボトムの長手方向に対応させて支持棒体を支持すると共に側柵本体に設けた嵌挿部に支持棒体を嵌挿し、支持棒体の一端側と他端側に夫々第１、第２のストッパー部材を設けて、側柵本体を第１、第２のストッパー部材間において支持棒体に沿って移動可能とすると共に起立状態から垂下状態の間で回動可能とし、側柵本体の一端部と第１のストッパー部材に、側柵本体が起立状態において相互に嵌合可能な凹凸部を形成すると共に、側柵本体を第１のストッパー部材方向にばねで付勢した構成とし、また側柵本体の他端部には、側柵本体が起立状態において上下方向に回動可能な係合部材を、前記第２のストッパー側に設け、この係合部材は、側柵本体が起立状態で、且つ前記凹凸部が嵌合している状態において、自重により回動下降して、その先端が、前記第２のストッパーに近接した前記支持棒体の上面に当接可能に構成されていることを特徴とする仰臥台における側柵の支持機構を提案する。
【０００８】
また本発明では、仰臥台の側部にボトムの長手方向に対応させて支持棒体を支持すると共に側柵本体に設けた嵌挿部に支持棒体を嵌挿し、支持棒体の一端側と他端側に夫々第１、第２のストッパー部材を設けて、側柵本体を第１、第２のストッパー部材間において支持棒体に沿って移動可能とすると共に起立状態から垂下状態の間で回動可能とし、側柵本体の一端部と第１のストッパー部材に、側柵本体が起立状態において相互に嵌合可能な凹凸部を形成すると共に、側柵本体を第１のストッパー部材方向にばねで付勢した構成とし、また側柵本体の他端部には、ストッパーピンを前記第２のストッパー部材の外方に配置して、この第２のストッパー部材に対して進退可能に支持すると共に、前進方向にばねで付勢し、前記第２のストッパー部材には、側柵本体が起立状態で、且つ前記凹凸部が嵌合している状態においてストッパーピンが前進する位置に係合部を設けたことを特徴とする仰臥台における側柵の支持機構を提案する。
【０００９】
そして本発明では、凹凸部は、側柵本体が起立状態の場合に加えて水平状態においても嵌合可能に構成すると共に、係合部は、側柵本体が水平状態で、且つ前記凹凸部が嵌合している状態においてストッパーピンが前進する位置にも設けることを提案する。
【発明の効果】
【００１１】
請求項１に記載の発明では、側柵本体が起立状態において、側柵本体の一端部と第１のストッパー部材に形成された凹凸部が嵌合している場合には、係合部材が自重により回動下降して、その先端が、前記第２のストッパーに近接した支持棒体の上面に当接した状態となっているので、側柵本体を第２のストッパー部材方向に移動させようとしても、係合部材が第２のストッパー部材に閊えるため、移動ができない。
【００１２】
このため上記凹凸部の嵌合状態が維持されるので、側柵本体は起立状態が維持され、患者等が側柵本体を動かそうとしたり、不意に掴まったりした際にも、凹凸部の嵌合が解除されてしまって側柵本体が回動下降してしまうという不都合の発生を防止することができる。
【００１３】
患者の乗り降り等に際して、起立状態に支持されている側柵本体を下降する場合には、係合部材を手で回動上昇させながら側柵本体を第２のストッパー部材方向に移動させることで、上述した凹凸部の嵌合を解除することができ、こうして側柵本体を回動下降させて、垂下状態にもたらすことができる。
【００１４】
次に請求項２に記載の発明では、側柵本体が起立状態において、側柵本体の一端部と第１のストッパー部材に形成された凹凸部が嵌合している場合には、側柵本体の他端部に設けられているストッパーピンがばねの付勢により第２のストッパー部材方向に前進して、係合部に係合するため、側柵本体を第２のストッパー部材方向に移動させようとしても、移動ができない。
【００１５】
このため上記凹凸部の嵌合状態が維持されるので、側柵本体は起立状態が維持され、患者等が側柵本体を動かそうとしたり、不意に掴まったりした際にも、凹凸部の嵌合が解除されてしまって側柵本体が回動下降してしまうという不都合の発生を防止することができる。
【００１６】
この発明においては、側柵本体は凹凸部の嵌合により、回動方向の運動が阻止されると共に、係合部に係合しているストッパーピンも回動方向の運動の阻止に寄与するため、回動を阻止する強度が大きく、安全性が高い。
【００１７】
患者の乗り降り等に際して、起立状態に支持されている側柵本体を下降する場合には、ストッパーピンを手で操作して係合部から後退させて係合を解除しながら、側柵本体を第２のストッパー部材方向に移動させることで、上述した凹凸部の嵌合を解除することができ、こうして側柵本体を回動下降させて、垂下状態にもたらすことができる。
【００１８】
請求項３に記載の発明では、側柵本体が水平状態において、ストッパーピンがばねの付勢により第２のストッパー部材方向に前進して、その位置に設けられている係合部に係合するため、側柵本体は水平状態においても支持され、従って水平状態の側柵本体を、点滴等の輸液や処置等の際に上肢を載せる上肢台としても利用することができる。
【００１９】
この際、側柵本体が水平状態においても、側柵本体の一端部と第１のストッパー部材に形成された凹凸部が嵌合するように構成した場合には、側柵本体は、その一端部が嵌合している凹凸部により回動方向の運動が阻止されると共に、他端部は、係合部に係合しているストッパーピンが回動方向の運動を阻止するため、側柵本体は水平状態においても強固に支持され、従って水平状態の側柵本体を、点滴等の輸液や処置等の際に上肢を載せる上肢台としても安全に利用することができる。
【発明を実施するための最良の形態】
【００２０】
次に本発明に係る仰臥台として患者搬送用ストレッチャーを適用した場合の本発明の実施の形態を添付図面を参照して説明する。
まず、図１〜図７は本発明に係る側柵の支持機構に安全機構を組み込む前の患者搬送用ストレッチャーの全体及び各部の構成を示すものである。
即ち、この患者搬送用ストレッチャー１は、概ね、台車２の上側に適宜の昇降機構を介してボトム支持フレーム３が支持され、このボトム支持フレーム２にボトム４が支持された構成である。
【００２１】
ボトム支持フレーム２の側部には、ボトム４の長手方向に対応させて支持棒体５を支持している。符号６は側柵本体であり、この側柵本体６には、起立状態における下側に、上記支持棒体５を嵌挿する嵌挿部７を形成している。この構成において、側柵本体６の嵌挿部７に支持棒体５を嵌挿して支持し、また支持棒体５の一端側５ａと他端側５ｂに夫々第１、第２のストッパー部材８ａ，８ｂを設けている。この実施の形態において、第１、第２のストッパー部材８ａ，８ｂは支持棒体５をボトム支持フレーム３に固定するための固定部材を兼用しており、ボトム支持フレーム３への取付部材９を設けている。またこれらの第１、第２のストッパー部材８ａ，８ｂには、点滴等に用いるポール（図示省略）を挿入して支持するための挿入支持部１０を設け、挿入支持部１０には、ポールを固定するための締め付けねじ１１が設けられている。
【００２２】
第１、第２のストッパー部材８ａ，８ｂ間の間隔は、側柵本体６の左右幅よりも大きくしており、これにより側柵本体６は、第１、第２のストッパー部材８ａ，８ｂ間において支持棒体５に沿って移動可能で、また起立状態から垂下状態の間で支持棒体１の回りに回動可能に支持されている。
【００２３】
そして側柵本体６の一端部６ａと第１のストッパー部材８ａには、側柵本体６が起立状態において相互に嵌合可能な凹凸部、この場合、第１のストッパー部材８ａ側の凹部１２と側柵本体６の一端部６ａの凸部１３が形成されており、そして側柵本体６は、ばね１４により、第１のストッパー部材８ａ方向に付勢している。この実施の形態においてはばね１４は、側柵本体６の他端部６ｂと第２のストッパー部材８間に設けた圧縮コイルばねとして設けているが、側柵本体６を第１のストッパー部材８ａ方向に付勢する限りにおいては、ばね１４の種類及びその設置位置は適宜である。また、凹凸部は、上記の構成とは逆に、第１のストッパー部材８ａ側に凸部を形成し、側柵本体６の一端部６ａに凹部を形成することもできる。また凹凸部は、後述するように、側柵本体６が水平状態においても嵌合するように構成することができる。
【００２４】
以上の構成において、側柵本体６を、他の状態から起立状態にすると、第１のストッパー部材８ａ側の凹部１２と側柵本体６の一端部６ａの凸部１３の位置が合うので、側柵本体６はばね１４の付勢により第１のストッパー部材８ａ側に移動し、これらの凹部１２と凸部１３が嵌合する。このため、側柵本体６は回動方向の運動が阻止されて起立状態に維持される。
【００２５】
以上の状態において側柵本体６をばね１４の付勢に抗して第１のストッパー部材８ａ側から離れる方向に移動すると、凹部１２と凸部１３の嵌合が解除されて、側柵本体６は支持棒体５の回りに回動可能となるので、回動下降させて不使用時の垂下状態とすることができる。
【００２６】
ここで第１のストッパー部材８ａにおいて、側柵本体６の一端部６ａに設けた凸部１３が嵌合する凹部として、側柵本体６が起立状態に対応する位置の凹部１２に加えて、側柵本体６が水平状態に対応する位置の凹部１５を追加すれば、側柵本体６が水平状態においても、凹部１５と凸部１３が嵌合するようになる。このため、側柵本体６は、回動方向の運動が阻止されて水平状態に維持され、この状態において、側柵本体６を、点滴等の輸液や処置等の際に上肢を載せる上肢台として利用できる。
【００２７】
以上に説明した側柵本体６のストッパー機構では、凹凸部１２、１３、１５の嵌合の維持をばね１４の付勢のみで行うので、患者等が側柵本体６を動かそうとしたり、不意に掴まったりした際に、側柵本体６が移動すると、嵌合が解除されてしまう場合があり、この場合には側柵本体６が回動下降して危険である。
【００２８】
そこで本発明では、以下に示すような安全機構を組み込んで、安全性を非常に向上することができる。
【実施例１】
【００２９】
まず図９〜図１２は安全機構の第１の実施例を示すものである。
即ち、この第１の実施例では、側柵本体６の他端部６ｂに、係合部材１６を上下方向に回動可能に設けた構成としており、係合部材１６は自重により係合方向に付勢されるものとしている。尚、係合部材１６以外の構成要素は、図１〜図７に示すものと同様であるので、図において対応する構成要素には同一の符号を付して重複する説明は省略する。
【００３０】
以上の構成において、側柵本体６が起立状態において、上述したように側柵本体６の一端部６ａと第１のストッパー部材８ａに形成された凹凸部１２、１３が嵌合している場合には、係合部材１６は、重力の付勢により回動下降して支持棒体５の上面に当接した状態となっているので、側柵本体６を第２のストッパー部材８ｂ方向、即ち第１のストッパー部材８ａから離れる方向に移動させようとしても、図９〜図１２に示すように、係合部材１６が第２のストッパー部材８ｂの先端に閊えるため、移動ができない。
【００３１】
このため上記凹凸部１２、１３の嵌合状態が維持されるので、側柵本体６は起立状態が維持され、患者等が側柵本体６を動かそうとしたり、不意に掴まったりした際にも、凹凸部１２、１３の嵌合が解除されてしまって側柵本体６が回動下降してしまうという不都合の発生を防止することができる。
【００３２】
ボトム４に対しての患者の乗り降り等に際して、起立状態に支持されている側柵本体６を下降する場合には、係合部材１６を手で回動上昇させながら側柵本体１６を第２のストッパー部材８ｂ方向に移動させることで、上述した凹凸部１２、１３の嵌合を解除することができ、こうして側柵本体６を回動下降させて、垂下状態にもたらすことができる。
【００３３】
ここで、例えば図８に示されるものを適用して、側柵本体６を水平状態に支持できるように構成した場合には、係合部材１６をばね（図示省略）により支持棒体５方向に付勢する構成とすれば、横方向の姿勢となった係合部材１６もばねの付勢により支持棒体５に当接して第２のストッパー部材８ｂの先端に閊える位置に維持されるので、側柵本体６を第２のストッパー部材８ｂ方向、即ち第１のストッパー部材８ａから離れる方向に移動させようとしても係合部材１６が第２のストッパー部材８ｂの先端に閊えて移動ができない。従って、側柵本体６を水平状態に支持する際の安全性も向上する。
【実施例２】
【００３４】
次に、図１３、図１４は安全機構の第２の実施例を示すものである。
即ち、この第２の実施例では、側柵本体６の他端部６ｂに、ストッパーピン１７を第２のストッパー部材８ｂに対して進退可能に支持すると共に、前進方向にばね１８で付勢し、第２のストッパー部材８ｂには、側柵本体６が起立状態において、ストッパーピン１７が前進する位置に係合部１９を設けた構成としている。またこの実施例においてストッパーピン１７の他端部は、後退操作するための手動操作部２１として構成している。これらの構成要素以外の構成要素は、図１〜図７に示すものと同様であるので、図において対応する構成要素には同一の符号を付して重複する説明は省略する。
【００３５】
以上の構成において、側柵本体６が起立状態において、上述したように側柵本体６の一端部６ａと第１のストッパー部材８ａに形成された凹凸部１２、１３が嵌合している場合には、側柵本体６の他端部６ｂに設けられているストッパーピン１７がばね１８の付勢により第２のストッパー部材８ｂ方向に前進して、係合部１９に係合するため、側柵本体６を支持棒体５に沿って第２のストッパー部材８ｂ方向に移動させようとしても、移動ができない。
【００３６】
このため上記凹凸部１２、１３の嵌合状態が維持されるので、側柵本体６は起立状態が維持され、患者等が側柵本体６を動かそうとしたり、不意に掴まったりした際にも、凹凸部１２、１３の嵌合が解除されてしまって側柵本体６が回動下降してしまうという不都合の発生を防止することができる。
【００３７】
この実施例では、側柵本体６は凹凸部１２、１３の嵌合により、回動方向の運動が阻止されると共に、係合部１９に係合しているストッパーピン１７も回動方向の運動の阻止に寄与するため、回動を阻止する強度が大きく、より安全性が高い。
【００３８】
ボトム４に対しての患者の乗り降り等に際して、起立状態に支持されている側柵本体６を下降する場合には、手動操作部２１を掴んでストッパーピン１７をばね１８の付勢に抗して係合部１９内から後退させると、側柵本体６が第２のストッパー部材８ｂ方向に移動可能となり、従って側柵本体１６を第２のストッパー部材８ｂ方向に移動させることで、上述した凹凸部１２、１３の嵌合を解除することができ、こうして側柵本体６を回動下降させて、不使用時の垂下状態とすることができる。
【００３９】
以上に説明した実施例においては、第２のストッパー部材８ｂに設ける係合部１９は穴として形成しているが、側柵本体６の一端部６ａ側が開口した凹部として形成することもできる。
【実施例３】
【００４０】
次に、図１５〜図１８は、安全機構の第３の実施例を示すものである。
この実施例は、図に示すように、第２のストッパー部材８ｂの係合部は、側柵本体６が起立状態において、ストッパーピン１７が前進する位置に設けた係合部１９の他に、側柵本体６が水平状態において、ストッパーピン１７が前進する位置にも係合部２０を設けており、また第１のストッパー部材８ａは、図示は省略しているが、例えば図８に示されるものを適用して、側柵本体６を水平状態に支持できるように構成している。またこの実施例では、図１２、図１３に示される実施例とは異なり、係合部１９は有底の構成である。しかしながら他の実施例としては、底無しの構成とすることもできることは勿論である。これらの構成要素以外の構成要素は、図１〜図７に示すものと同様であるので、図において対応する構成要素には同一の符号を付して重複する説明は省略する。
【００４１】
この実施例では、図１５に示すように側柵本体６が起立状態において、側柵本体６の他端部６ｂに設けられているストッパーピン１７が係合部１９に係合している状態では、上述したように側柵本体６の一端部６ａと第１のストッパー部材８ａに形成された凹凸部１２、１３が嵌合しているため、側柵本体６は回動が不能であると共に、ストッパーピン１７と係合部１９との係合により、支持棒体５に沿った移動が不能であるため、側柵本体６は起立状態が維持される。
【００４２】
この実施例においても、側柵本体６は凹凸部１２、１３の嵌合により、回動方向の運動が阻止されると共に、係合部１９に係合しているストッパーピン１７も回動方向の運動の阻止に寄与するため、回動を阻止する強度が大きく、より安全性が高い。
【００４３】
側柵本体６が起立状態に支持されている際、手動操作部２１を掴んでストッパーピン１７をばね１８の付勢に抗して係合部１９内から後退させると、側柵本体６が第２のストッパー部材８ｂ方向に移動可能となり、従って側柵本体１６を第２のストッパー部材８ｂ方向に移動させることで、上述した凹凸部１２、１３の嵌合を解除することができ、こうして側柵本体６を回動下降させることができる。
【００４４】
この実施例においては、側柵本体６を起立状態から回動下降させて水平状態に至らせ、この状態においてばね１４の付勢により側柵本体６を第１のストッパー部材８ａ方向に移動すると、側柵本体６の一端部６ａの凸部１３が第１のストッパー部材８ａの凹部１５に嵌合することにより側柵本体６の支持棒体５の回りの回動が不能となり、この状態においては、図１６に示すようにストッパーピン１７が係合部２０に係合して、側柵本体６の支持棒体５に沿った移動が不能となるため、側柵本体６は起立状態が維持される。
【００４５】
従って側柵本体６は、回動方向の運動が阻止されて水平状態に維持され、この状態において、側柵本体６を、点滴等の輸液や処置等の際に上肢を載せる上肢台として安全に利用できる。
【００４６】
次いで側柵本体６を垂下状態まで下降させるには、上述と同様に手動操作部２１を掴んでストッパーピン１７をばね１８の付勢に抗して係合部２０内から後退させると、側柵本体６が第２のストッパー部材８ｂ方向に移動可能となり、従って側柵本体６を第２のストッパー部材８ｂ方向に移動させることで、上述した凹凸部１２、１５の嵌合を解除することができ、こうして側柵本体６を回動下降させてず１７に示すように垂下状態とすることができる。
【００４７】
側柵本体６は、垂下状態においては、上記凹凸部１２、１３又は１５の嵌合により回動を阻止する必要がないため、側柵本体６を水平状態又は起立状態にしたい場合には、図１８に示すように単に、側柵本体６を回動上昇させればよい。
【００４８】
即ち、側柵本体６を回動上昇させて、水平状態に至った際に、側柵本体６をばね１４の付勢により第１のストッパー部材８ａ方向に移動させることにより、凹凸部１２、１５が嵌合すると共に、ストッパーピン１７が係合部２０に係合して、側柵本体６の回動と移動が不能となり、側柵本体６を水平状態に強固に支持することができる。
【００４９】
以上と同様な操作により側柵本体６を水平状態から上昇させて起立状態とすることにより、側柵本体６の回動と移動を不能とすることができ、こうして上述したように、側柵本体６を起立状態で強固に支持することができる。
【産業上の利用可能性】
【００５０】
本発明は以上の通りであるので、病院、その他の医療施設、介護施設等において使用する患者搬送用ストレッチャーや、診察台等の仰臥台に使用する側柵の側柵本体を、起立状態と垂下状態の間で回動可能に支持した構成とし、側柵本体の起立状態をばねの付勢により維持するようにした側柵の支持機構において、患者等が側柵本体を動かそうとしたり、不意に掴まったりした際にも、凹凸部の嵌合が解除されてしまって側柵本体が回動下降してしまうという不都合の発生を防止することができ、安全性を非常に高くすることができる。
【００５１】
そして側柵本体を水平状態に維持するものでは、水平状態に支持された側柵本体を、点滴等の輸液や処置等の際に上肢を載せる上肢台として安全に利用できる。
【図面の簡単な説明】
【００５２】
【図１】本発明に係る側柵の支持機構に安全機構を組み込む前の患者搬送用ストレッチャーの全体構成を示す斜視図である。
【図２】本発明に係る側柵の支持機構に安全機構を組み込む前の患者搬送用ストレッチャーの全体構成を、片側の側柵本体を垂下状態として示す斜視図である。
【図３】本発明に係る側柵の支持機構に安全機構を組み込む前の側柵の全体構成を示す正面図である。
【図４】本発明に係る側柵の支持機構に安全機構を組み込む前の側柵の全体構成を別の局面で示す正面図である。
【図５】第１のストッパー部材の構成を示す斜視図である。
【図６】側柵本体の一端側の構成を示す斜視図である。
【図７】側柵本体の他端側と第２のストッパー部材の構成を示す斜視図である。
【図８】第１のストッパー部材の他の構成を示す斜視図である。
【図９】本発明に係る側柵の支持機構に第１実施例の安全機構を組み込んだ状態を示す斜視図である。
【図１０】本発明に係る側柵の支持機構に第１実施例の安全機構を組み込んだ状態を示す正面図である。
【図１１】第１実施例の安全機構の要部を示す断面図である。
【図１２】第１実施例の安全機構の要部を、他の局面において示す断面図である。
【図１３】第２実施例の安全機構の要部を示す断面図である。
【図１４】第２実施例の安全機構の要部を、他の局面において示す断面図である。
【図１５】第３実施例の安全機構の要部を示す断面図である。
【図１６】第３実施例の安全機構の要部を、他の局面において示す断面図である。
【図１７】第３実施例の安全機構の要部を、更に他の局面において示す断面図である。
【図１８】第３実施例の安全機構の要部を、更に他の局面において示す断面図である。
【符号の説明】
【００５３】
１        患者搬送用ストレッチャー（仰臥台）
２        台車
３        ボトム支持フレーム
４        ボトム
５        支持棒体
５ａ一端側
５ｂ他端側
６        側柵本体
６ａ一端側
６ｂ他端側
７        嵌挿部
８ａ      第１のストッパー部材
８ｂ      第２のストッパー部材
９        取付部材
１０      挿入支持部
１１      締め付けねじ
１２      凹部
１３      凸部
１４      ばね
１５      凹部
１６      係合部材
１７      ストッパーピン
１８      ばね
１９、２０    係合部
２１      手動操作部
【図１】
0004771533.tif 000002
【図２】
0004771533.tif 000003
【図３】
0004771533.tif 000004
【図４】
0004771533.tif 000005
【図５】
0004771533.tif 000006
【図６】
0004771533.tif 000007
【図７】
0004771533.tif 000008
【図８】
0004771533.tif 000009
【図９】
0004771533.tif 000010
【図１０】
0004771533.tif 000011
【図１１】
0004771533.tif 000012
【図１２】
0004771533.tif 000013
【図１３】
0004771533.tif 000014
【図１４】
0004771533.tif 000015
【図１５】
0004771533.tif 000016
【図１６】
0004771533.tif 000017
【図１７】
0004771533.tif 000018
【図１８】
0004771533.tif 000019